(57)【要約】    【構成】携帯電話機１０は、二次電池４８などを有している。また、２つのフィルムスピーカ３０は二次電池４８を収容するバッテリホルダ５０の裏側に配置される。フィルムスピーカ３０は周囲がフレーム（３８）によって囲われており、表面側のフレームに両面テープが貼られ、スピーカホルダ５４に張り付けられている。バッテリホルダ５０の底面には、２つのフィルムスピーカ３０と対応して２つの押え部（７０）が設けられている。これらの部品が組み付けられると、押え部は、フィルムスピーカ３０の裏側からスピーカホルダ５４の方に向けて、フィルムスピーカ３０の裏側のフレームを押えた状態になる。つまり、フィルムスピーカは３０表裏の両面から挟み込まれた状態となる。    【効果】フィルムスピーカ３０の不要な振動が抑えられ、フィルムスピーカ３０の音圧が向上する。【選択図】図３
2015186166.tif 000002
【特許請求の範囲】
【請求項１】
電池、
周囲がフレームによって囲われ、前記電池の裏側に配置されるフィルムスピーカ、
前記電池の裏側において前記フィルムスピーカの主面側のフレームが貼り付けられるスピーカホルダ、および
前記フィルムスピーカと前記電池との間で、前記フィルムスピーカの他面側から前記スピーカホルダの方に向けて、そのフィルムスピーカの他面側のフレームの少なくとも一部を押える押え部を備える、携帯端末。
【請求項２】
前記押え部は、切欠きが設けられる、請求項１記載の携帯端末。
【請求項３】
前記電池を保持する電池保持部をさらに備え、
前記押え部は、前記電池保持部に設けられる、請求項１または２記載の携帯端末。
【発明の詳細な説明】
【技術分野】
【０００１】
この発明は携帯端末に関し、特にスピーカを内蔵した、携帯端末に関する。
【背景技術】
【０００２】
背景技術の一例が特許文献１に開示されている。この特許文献１の携帯端末装置では、筐体の角部にスピーカを任意の角度で配置することで、携帯端末装置の小型化・薄型化を実現している。
【特許文献１】特開2012-227836号公報［H04R 1/02, H04M 1/03, H04M 1/02］
【発明の概要】
【発明が解決しようとする課題】
【０００３】
近年の携帯端末の開発では二次電池の大型化などに伴い、筐体内部のスペース確保が問題となっている。その問題に対処できるように、特許文献１のようにダイナミックスピーカの配置を工夫することが考えられる。ところが、筐体の角にダイナミックスピーカを配置すると、携帯端末装置の厚さがダイナミックスピーカの大きさによって決まり、全体として厚みが厚くなってしまう。
【０００４】
それゆえに、この発明の主たる目的は、新規な、携帯端末を提供することである。
【０００５】
この発明の他の目的は、全体の厚さを薄くすることが出来る、携帯端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、電池、周囲がフレームによって囲われ、電池の裏側に配置されるフィルムスピーカ、電池の裏側においてフィルムスピーカの主面側のフレームが貼り付けられるスピーカホルダ、およびフィルムスピーカと電池との間で、フィルムスピーカの他面側からスピーカホルダの方に向けて、そのフィルムスピーカの他面側のフレームの少なくとも一部を押える押え部を備える、携帯端末である。
【０００８】
第１の発明では、携帯端末（１０：実施例において対応する部分を例示する参照符号。以下、同じ。）の電池（４８）は、たとえば二次電池である。フィルムスピーカ（３０）は、たとえば電池の裏側に配置される。また、フィルムスピーカは、たとえば樹脂フィルムなどを支えるためのフレーム（３８）によって囲われている。スピーカホルダ（５４）は、たとえば電池の裏側にあり、フィルムスピーカの主面（表面）側のフレームが、樹脂テープなどの接着手段によって貼り付けられる。押え部（７０）は、フィルムスピーカの他面（裏面）側からスピーカホルダの方に向けて、フィルムスピーカの他面側のフレームの少なくとも一部を押える。このとき、フィルムスピーカは表裏の両面から挟み込まれ、フィルムスピーカが強固に固定された状態となる。
【０００９】
第１の発明によれば、フィルムスピーカを採用することによって、携帯端末全体を薄型化することができる。
【００１０】
また、フィルムスピーカの不要な振動が抑えられ、フィルムスピーカの音圧が向上する。
【００１１】
第２の発明は、第１の発明に従属し、押え部は、切欠きが設けられる。
【００１２】
第２の発明では、たとえば、スピーカホルダのリブに設けられる切欠きの位置に対応して、押え部にも切欠き（７２）が設けられる。
【００１３】
第２の発明によれば、たとえば、スピーカホルダよってフィルムスピーカの周囲が囲われていても、フィルムスピーカを押える押え部の切欠きおよびスピーカホルダの切欠きによって、スピーカホルダおよび押え部の内側と外側とが連通する。そのため、フィルムスピーカの背面容積を十分に確保でき、フィルムスピーカの音響性能を向上させることが出来る。
【００１４】
第３の発明は、第１の発明または第２の発明に従属し、電池を保持する電池保持部をさらに備え、押え部は、電池保持部に設けられる。
【００１５】
第３の発明では、電池保持部（５０）は、たとえば箱状であり、その箱の中に電池を入れることで電池を保持する。たとえば、押え部は、このような電池保持部の底面に設けられる。
【００１６】
第３の発明によれば、電池は、樹脂テープや接着剤などの接着手段を利用せずに保持されるため、携帯端末のメンテナンスなどの際に電池の取り外しおよび交換が容易となる。
【発明の効果】
【００１７】
この発明の一態様によれば、携帯端末の厚みを全体として薄くすることが出来る。
【００１８】
この発明の上述の目的、その他の目的、特徴および利点は、図面を参照して行う以下の実施例の詳細な説明から一層明らかとなろう。
【図面の簡単な説明】
【００１９】
【図１】図１はこの発明の一実施例の携帯電話機の外観の一例を示す外観図であり、図１（Ａ）は携帯電話機の表面の外観を示し、図１（Ｂ）は携帯電話機の裏面の外観を示す。
【図２】図２は図１に示す携帯電話機に内蔵されるフィルムスピーカの構造の一例を示す図解図であり、図２（Ａ）はフィルムスピーカを表面から見た外観の一例を示し、図２（Ｂ）は図２（Ａ）に示す線ＩＩ（Ｂ）−ＩＩ（Ｂ）における断面の一例を示す。
【図３】図３は図１に示す携帯電話機の内部構造の概要の一例を示す分解斜視図である。
【図４】図４は図３に示すインナシャーシ、二次電池およびバッテリホルダの構造の概要の一例を示す図解図であり、図４（Ａ）はインナシャーシ、二次電池およびバッテリホルダの構造の概要の一例を示す斜視図であり、図４（Ｂ）はインナシャーシに二次電池およびバッテリホルダが組み付けられた状態の一例を示す図解図である。
【図５】図５は図２に示す取り付け枠の構造の一例を示す図解図であり、図５（Ａ）は取り付け枠を表側から見た状態を示し、図５（Ｂ）は取り付け枠を裏側から見た状態を示す。
【図６】図６は図２に示す取り付け枠に、必要な部品が取り付けられた状態の例を示す図解図であり、図６（Ａ）は第１フィルムスピーカおよび第２フィルムスピーカが貼り付けられた取り付け枠の表側を示し、図６（Ｂ）は第１フィルムスピーカおよび第２フィルムスピーカが貼り付けられた取り付け枠の裏側を示し、図６（Ｃ）は基板が配置された状態を示し、図６（Ｄ）は連結部材によって第１スピーカホルダと第２スピーカホルダとの互いに対向する内側端部どうしが連結された状態を示す。
【図７】図７は図６（Ｄ）に示す線ＶＩＩ−ＶＩＩにおける断面の一例を示す。
【図８】図８は図６（Ｄ）に示す取り付け枠にインナシャーシなどが嵌め込まれた状態の一例を示し、図８（Ａ）はインナシャーシが嵌め込まれる前の状態を示し、図８（Ｂ）は図８（Ａ）に示す取り付け枠にインナシャーシなどが嵌め込まれた後の状態を示す。
【図９】図９は図８（Ｂ）に示す線ＩＸ−ＩＸにおける断面の一例を示す。
【図１０】図１０は他の実施例のインナシャーシ、二次電池およびバッテリホルダの構造の概要の一例を示す斜視図である。
【図１１】図１１はその他の実施例のインナシャーシ、二次電池およびバッテリホルダの構造の概要の一例を示す斜視図である。
【発明を実施するための形態】
【００２０】
図１（Ａ），（Ｂ）を参照して、この発明の一実施例の携帯電話機１０は、一例としてスマートフォン（smartphone）であり、その外観は、縦長の扁平矩形となる様にバックパネル１２、取り付け枠１４の一部およびフロントパネル１６によって形成される。そのため、バックパネル１２は主要なハウジング部材（主面と側面とを有するハウジングを形成するための部材）である。ただし、取り付け枠１４の一部またはフロントパネル１６がハウジング部材の側面を形成することもあり得る。なお、この発明は、スマートフォンだけでなく、タブレットＰＣや、ＰＤＡなど任意の携帯端末に適用可能であることを予め指摘しておく。
【００２１】
フロントパネル１６にはタッチパネル２０が一体的に形成されている。また、フロントパネル１６の裏面には、たとえば液晶や有機ＥＬなどで構成されるディスプレイ１８（表示部）が貼り付けられている。
【００２２】
携帯電話機１０の下側面の右側には内部に設けられるマイクに音声を入力するための孔２２が形成されている。携帯電話機１０の主面上側には音を振動に変換するピエゾ素子（図示せず）が内蔵されている。たとえば、ピエゾ素子に音声信号が入力されると、ピエゾ素子は音声信号を振動に変換し、ディスプレイ１８（フロントパネル１６）を直接振動させる。これにより、ユーザは、ディスプレイ１８から出力される音声を聞くことが出来る。なお、このようにして音声が出力されるため、たとえば受話音声を出力するための放音孔は設けられていない。
【００２３】
携帯電話機１０の裏面には第１フィルムスピーカ３０ａおよび第２フィルムスピーカ３０ｂ（後述）が内蔵されている。また、第１フィルムスピーカ３０ａおよび第２フィルムスピーカ３０ｂの音は、この実施例ではバックパネル１２の裏面に形成された第１放音孔２４ａから出力される。
【００２４】
携帯電話機１０の下側面の中央には内部に設けられる充電端子（図示せず）に通じる孔２６が形成される。
【００２５】
たとえば、通話を行う操作が行われ音声通話が開始されると、上述のピエゾ素子の振動によってフロントパネル１６から受話音声が出力される。一方、ユーザの発話音声は、孔２２を通じてマイクに入力され、通話相手の電話機に送信される。他の電話機から着信が通知されると、着信音が内蔵のフィルムスピーカから出力される。なお、本実施例の携帯電話機１０には、第１フィルムスピーカ３０ａおよび第２フィルムスピーカ３０ｂを内蔵しているため、ステレオ音声を再生することも可能である。
【００２６】
また、孔２６を通じて充電コネクタが充電端子に接続されると、携帯電話機１０の二次電池４８（図３参照）には外部電源から充電用電力が供給される。
【００２７】
図２（Ａ）は本実施例で利用されるフィルムスピーカ３０を表面から見た外観の図解図であり、図２（Ｂ）は図２（Ａ）の線ＩＩ（Ｂ）−ＩＩ（Ｂ）における断面図である。なお、携帯電話機１０に内蔵する第１フィルムスピーカ３０ａおよび第２フィルムスピーカ３０ｂとしては、この図に示すフィルムスピーカ３０が用いられるので、ここでは第１フィルムスピーカおよび第２フィルムスピーカの区別をしないで説明し、以後両者を区別するときには３０ａおよび３０ｂの参照番号を用いることにする。
【００２８】
フィルムスピーカ３０は平面矩形であり、厚さはたとえば０．７ｍｍである。フィルムスピーカ３０は、同じく矩形のピエゾ素子３２を含み、ピエゾ素子３２は、音が出力される面、つまり表面（図２（Ａ））において、略中央となるように樹脂コーティング層３４によって樹脂コーティングされている。また、樹脂コーティング層３４には樹脂フィルム３６が貼り付けられている。そして、これらを支えるためにフレーム３８がフィルムスピーカ３０の周縁に設けられている。このようなフィルムスピーカ３０のピエゾ素子３２に音声信号が与えられると、ピエゾ素子３２が振動し、その振動が樹脂コーティング層３４および樹脂フィルム３６などフィルムスピーカ３０全体に伝わり、フィルムスピーカ３０の表面から音が出力される。なお、フレーム３８は、フィルムスピーカ３０をスピーカホルダ５４（後述）上に固定する際に利用される。
【００２９】
図３は携帯電話機１０の内部構造の概要を示す分解斜視図である。図３を参照して、携帯電話機１０は、正面側（図３で言えば上側）からフロントパネル１６、ディスプレイ１８、インナシャーシ４２、二次電池４８、バッテリホルダ（電池保持部）５０、第１フィルムスピーカ３０ａおよび第２フィルムスピーカ３０ｂ、取り付け枠１４、基板５８、連結部材６６およびバックパネル１２の順番で各パーツが取り付けられる。なお、バックパネル１２を取り付けることによって、取り付け枠１４と協働して、このバックパネル１２の内部に閉塞空間が形成され、第１フィルムスピーカ３０ａ、第２フィルムスピーカ３０ｂからの音が第１放音孔２４ａおよび第２放音孔２４ｂから閉塞空間外へ放出される。
【００３０】
フロントパネル１６は、携帯電話機１０の主面であり、縦長の扁平矩形となるようにガラスで形成される。上述したように、フロントパネル１６の裏面にはタッチパネル２０が一体的に形成されている。ディスプレイ１８は、接着剤またはＯＣＡ(Optical Clear Adhesive：透明性接着)テープなどによってフロントパネル１６の裏面に接着される。
【００３１】
図３と共に、図４（Ａ）を参照して、インナシャーシ４２は矩形の樹脂枠を含み、その枠内にほぼ全面を覆うよう金属（導電材料）製のシールド板４０が設けられている。インナシャーシ４２の枠の厚さは、シールド板４０と二次電池４８とバッテリホルダ５０の底面を重ねた厚さと等しいか、それよりも僅かに薄くなるように形成されている。また、インナシャーシ４２の表側、つまりシールド板４０の表側には、上述のようにディスプレイ１８が貼り付けられたフロントパネル１６が配置される。一方、インナシャーシ４２の裏側には、二次電池４８を内部に保持するバッテリホルダ５０が組み付けられる凹部が形成される。
【００３２】
二次電池４８は扁平矩形の形状をしており、樹脂製で全体として箱状のバッテリホルダ５０に入れられる。また、バッテリホルダ５０の左右側面の外側には第１爪５２がそれぞれ形成されており、対応する第１爪受け（アンダーカットとも謂う。）４４がインナシャーシ４２の左右縦枠の内側にそれぞれ形成されている。また、インナシャーシ４２の左右縦枠の外側には、後述する第２爪５６と対応する第２爪受け４６が設けられている。
【００３３】
したがって、図４（Ｂ）に示すように、バッテリホルダ５０は二次電池４８を保持した状態でインナシャーシ４２に組み付けられると、左右の第１爪５２が左右の第１爪受け４４によってそれぞれ係止され、インナシャーシ４２にバッテリホルダ５０が固定された状態となる。その結果、二次電池４８がバッテリホルダ５０によって保持された状態となる。
【００３４】
このように、二次電池４８は、樹脂テープや接着剤などの接着手段を利用せずに保持されるため、携帯電話機１０のメンテナンスなどの際に二次電池４８の取り外しおよび交換が容易となる。
【００３５】
また、バッテリホルダ５０の裏側には、第１フィルムスピーカ３０ａおよび第２フィルムスピーカ３０ｂを裏面側から押える第１押え部７０ａおよび第２押え部７０ｂが設けられる。第１押え部７０ａおよび第２押え部７０ｂは、全体として矩形であり、周囲がリブの形状となるように盛り上がっている。第１押え部７０ａおよび第２押え部７０ｂの高さは、バッテリホルダ５０が組み付けられたインナシャーシ４２が取り付け枠１４に嵌め込まれたときに、第１フィルムスピーカ３０ａおよび第２フィルムスピーカ３０ｂに接触するように設定されている。そのため、第１押え部７０ａおよび第２押え部７０ｂが設けられる位置は、第１フィルムスピーカ３０ａおよび第２フィルムスピーカ３０ｂが貼り付けられる第１スピーカホルダ５４ａおよび第２スピーカホルダ５４ｂの位置と対応する。
【００３６】
また、第１押え部７０ａおよび第２押え部７０ｂには、複数の切欠き７２およびフィルムスピーカ３０への配線を通すための配線用凹部が設けられている。そして、複数の切欠き７２は、第１スピーカホルダ５４ａおよび第２スピーカホルダ５４ｂのリブに設けられた複数の切欠き９６と対応する位置に設けられる。
【００３７】
なお、以下の説明で第１押え部７０ａおよび第２押え部７０ｂを区別する必要がない場合は、参照符号を省略して「押え部７０」と言う。
【００３８】
図３と共に、図５（Ａ），（Ｂ）を参照して、取り付け枠１４は、フロントパネル１６や、インナシャーシ４２と同様の矩形であり、１対の縦枠９０（第１対の枠部材）および１対の横枠９２（第２対の枠部材）を含む枠が、以下に説明する各部とともに、樹脂成型によって形成されている。第１縦枠９０ａと第２縦枠９０ｂとは所定の間隔を隔てて配置され、第１横枠９２ａが１対の縦枠９０の上側を連結し、第２横枠９２ｂが１対の縦枠９０の下側を連結する。
【００３９】
第１縦枠９０ａおよび第２縦枠９０ｂのそれぞれの内側から内方に延びて互いに対向するように、共に平板状である第１スピーカホルダ５４ａおよび第２スピーカホルダ５４ｂが形成される。第１スピーカホルダ５４ａおよび第２スピーカホルダ５４ｂの中央には、そこに貼り付けられる第１フィルムスピーカ３０ａおよび第２フィルムスピーカ３０ｂの音を放出するために、８角形の放音孔９４が形成されている。なお、以下の説明で第１スピーカホルダ５４ａおよび第２スピーカホルダ５４ｂを区別する必要がない場合は、参照符号を省略して「スピーカホルダ５４」と言う。
【００４０】
第１スピーカホルダ５４ａおよび第２スピーカホルダ５４ｂの表側の面の周縁には、切欠き９６を有するリブが設けられる。なお、第１スピーカホルダ５４ａおよび第２スピーカホルダ５４ｂは、この実施例では平面矩形の板状に形成されたが、この第１スピーカホルダ５４ａおよび第２スピーカホルダ５４ｂの形状はこれに限らない。第１スピーカホルダ５４ａおよび第２スピーカホルダ５４ｂは、フィルムスピーカ３０の表面側のフレーム３８を樹脂テープなどによって貼り付けられる領域があればよく。放音孔９４がもっと大きくても、もっと小さくてもよい。
【００４１】
取り付け枠１４の枠内には、インナシャーシ４２が嵌め込まれる。そのため、１対の縦枠９０および１対の横枠９２の内側は、インナシャーシ４２を嵌め込むことが可能な内壁面８０（図６−図９なども参照）として形成されている。つまり、内壁面８０がインナシャーシ４２の樹脂枠の外面と接触して、インナシャーシ４２が取り付け枠１４に嵌め込まれる。このとき、取り付け枠１４に設けられた左右の第２爪５６がインナシャーシ４２に設けられた左右の第２爪受け４６によってそれぞれ係止され、インナシャーシ４２が取り付け枠１４に固定された状態となる。
【００４２】
また、取り付け枠１４の上側には、フロントパネル１６を取り付けるための凹部８２および内壁面８４（共に図６−図９なども参照）が設けられる。この凹部８２より外方の部分８６（図６−図９なども参照）は、携帯電話機１０の外観（図１）として露出する露出部である。したがって、内壁面８４の内側でかつ凹部８２の中にフロントパネル１６が取り付けられたとき、フロントパネル１６と外方の部分８６とは同じまたは略同じ面（面一）となる。
【００４３】
さらに、取り付け枠１４の裏側には、凹形状の第２嵌合部８８（図６、図７、図９なども参照）が設けられる。一方、バックパネル１２の側面には凸形状の第１嵌合部６８（図２なども参照）が設けられる。そして、この第１嵌合部６８が第２嵌合部８８に嵌め込まれると、バックパネル１２が取り付け枠１４に取り付けられた状態となる。
【００４４】
第１横枠９２ａの内側から第１スピーカホルダ５４ａおよび第２スピーカホルダ５４ｂの上側端までの部分には、たとえばカメラモジュールなどの部品を組み付けるための組み付け部９８が設けられる。この組み付け部９８には配線などを通すための矩形の孔１００が形成されている。また、取り付け枠１４の裏側（図５（Ｂ））において、組み付け部９８には、図３に示すような形状の基板５８を配置するための２つの基板用凹部１０２が形成されている。そして、図３からよくわかるように、第２横枠９２ｂの側面にはマイクに通じる孔２２ａおよび充電端子に通じる孔２６ａが形成されている。
【００４５】
図３に戻って、基板５８は樹脂やガラス繊維などで形成され、異形の第１部分６０、略矩形の第２部分６２および第１部分６０と第２部分６２とを繋ぐ細長い第３部分６４を含む。この基板５８には、所定の配線が形成されると共に、マイクなどの必要な部品が実装される。
【００４６】
ただし、基板５８の第１部分６０、第２部分６２および第３部分６４の形状やサイズは、実施例の形状やサイズに限定されるものではない。
【００４７】
連結部材６６は、樹脂などで形成され、左右に２つずつ係止部１０４（図７参照）を有している。取り付け方の詳細な説明は後述するが、連結部材６６によって、第１スピーカホルダ５４ａと第２スピーカホルダ５４ｂとの互いに対向する内側端部どうしが連結される。
【００４８】
上述のようにハウジン部材として機能するバックパネル１２は、図１に示すように、携帯電話機１０の側面および底面（裏面）を形成し、矩形の箱のような形状となるように樹脂で形成される。バックパネル１２の主面、すなわち底面には第１放音孔２４ａが形成され、バックパネル１２の左右側面には第２放音孔２４ｂが形成される。また、バックパネル１２の下側面にはマイクに通じる孔２２ｂおよび充電端子に通じる孔２６ｂが形成される。
【００４９】
上述したインナシャーシ４２、二次電池４８、第１フィルムスピーカ３０ａ、第２フィルムスピーカ３０ｂ、取り付け枠１４、基板５８および連結部材６６は、取り付け枠１４に取り付けられる。そして、取り付け枠１４の表側にフロントパネル１６が取り付けられ、裏側にバックパネル１２が取り付けられる。
【００５０】
続いて、取り付け枠１４に部品を取り付ける手順を説明する。まず、図６（Ａ），（Ｂ）を参照して、第１フィルムスピーカ３０ａおよび第２フィルムスピーカ３０ｂは、第１スピーカホルダ５４ａおよび第２スピーカホルダ５４ｂによって、表面が第１放音孔２４ａの方を向くように配置される。具体的には、取り付け枠１４の表側において、第１フィルムスピーカ３０ａおよび第２フィルムスピーカ３０ｂは、フレーム３８に両面テープとも呼ばれる樹脂テープが貼られ、第１スピーカホルダ５４ａおよび第２スピーカホルダ５４ｂに貼り付けられる。このとき、第１フィルムスピーカ３０ａおよび第２フィルムスピーカ３０ｂは、音を出力する面、つまり表面が対応する放音孔９４の方を向く。そして、この状態では、取り付け枠１４の裏側から、各放音孔９４を通して第１フィルムスピーカ３０ａおよび第２フィルムスピーカ３０ｂを視認することが出来る。
【００５１】
図６（Ｃ），（Ｄ）を参照して、取り付け枠１４の裏側に基板５８が配置される。このとき、第１部分６０が組み付け部９８の一部と重なるように第１スピーカホルダ５４ａおよび第２スピーカホルダ５４ｂより上方に配置され、第２部分６２が第１スピーカホルダ５４ａおよび第２スピーカホルダ５４ｂより下方に配置される。そして、第３部分６４が第１スピーカホルダ５４ａと第２スピーカホルダ５４ｂとの間を通り、かつ第１フィルムスピーカ３０ａおよび第２フィルムスピーカ３０ｂと略同じ面となるように配置される。その結果、組み付け部９８に形成される孔１００および基板用凹部１０２は、基板５８によって隠される。また、基板５８は第１フィルムスピーカ３０ａおよび第２フィルムスピーカ３０ｂを避けるように取り付け枠１４の裏側に配置されるため、第１フィルムスピーカ３０ａおよび第２フィルムスピーカ３０ｂの厚みが基板５８の厚みの中におさまる。つまり、第１フィルムスピーカ３０ａおよび第２フィルムスピーカ３０ｂと基板５８とを同じまたは略同じ面内に配置できるので、さらなる薄型化が可能である。その上、第３部分６４によって第１部分６０と第２部分６２とを繋ぎ、しかも第３部分６４を跨いで連結部材６６が第１スピーカホルダ５４ａと第２スピーカホルダ５４ｂとを連結するので、基板５８の利用可能な面積を小さくすることなく、剛性の高い第１スピーカホルダ５４ａおよび第２スピーカホルダ５４ｂを形成することができる。
【００５２】
次に、図６（Ｄ）のように、基板５８の第３部分６４の上から、第１スピーカホルダ５４ａと第２スピーカホルダ５４ｂとの対向する内側端部どうしを連結するように、連結部材６６を第１スピーカホルダ５４ａおよび第２スピーカホルダ５４ｂに係止する。
【００５３】
詳しく言うと、図６（Ｄ）の線ＶＩＩ−ＶＩＩにおける断面図である図７を参照して、各係止部１０４の先端には爪が設けられている。取り付け枠１４の裏側において、連結部材６６が上側から押し込まれると、係止部１０４が一時的に内方に撓む。そして、連結部材６６がさらに押されて係止部１０４の先端が取り付け枠１４の表側まで達すると、係止部１０４の形状が元に戻る。このとき、係止部１０４の先端に設けられた爪が第１スピーカホルダ５４ａおよび第２スピーカホルダ５４ｂの周縁に引っ掛かり、連結部材６６が第１スピーカホルダ５４ａおよび第２スピーカホルダ５４ｂとの間で固定される。
【００５４】
その結果、第１スピーカホルダ５４ａおよび第２スピーカホルダ５４ｂが連結部材６６によって強固に連結された状態となり、第１スピーカホルダ５４ａおよび第２スピーカホルダ５４ｂが片持ち梁構造（図５などの状態）から両持ち梁構造のものとなる。このように、第１スピーカホルダ５４ａおよび第２スピーカホルダ５４ｂが一体化されるので、それぞれの剛性が大きくなり、第１スピーカホルダ５４ａおよび第２スピーカホルダ５４ｂ自体の振動が抑制されるので、第１フィルムスピーカ３０ａおよび第２フィルムスピーカ３０ｂの音圧レベルを大きくすることが出来る。
【００５５】
たとえば、この連結部材６６によって第１スピーカホルダ５４ａおよび第２スピーカホルダ５４ｂが連結されていない場合、第１スピーカホルダ５４ａおよび第２スピーカホルダ５４ｂは片持ち梁構造のままであり、第１フィルムスピーカ３０ａおよび第２フィルムスピーカ３０ｂを支える構造の剛性が大きくない。この状態で第１フィルムスピーカ３０ａおよび第２フィルムスピーカ３０ｂから音声を出力すると、第１フィルムスピーカ３０ａおよび第２フィルムスピーカ３０ｂの振動に伴って第１スピーカホルダ５４ａおよび第２スピーカホルダ５４ｂも振動し、その振動が第１フィルムスピーカ３０ａおよび第２フィルムスピーカ３０ｂの振動を減殺する。これに対して、実施例のように連結部材６６によって第１スピーカホルダ５４ａおよび第２スピーカホルダ５４ｂを互いに連結して両持ち梁構造の状態にすれば、約３ｄＢの音圧改善が見られる。
【００５６】
また、取り付け枠１４にバックパネル１２を取り付ける場合、連結部材６６に接着剤が塗布され、連結部材６６とバックパネル１２とが接着される。つまり、連結部材６６はバックパネル１２にも固定される。したがって、第１スピーカホルダ５４ａおよび第２スピーカホルダ５４ｂがバックパネル１２によっても補強されることになり、音圧のさらなる改善が期待できる。
【００５７】
なお、他の実施例では、連結部材６６に塗布される接着剤が流れ出ないようにするために、連結部材６６に凹部が形成されてもよい。
【００５８】
図８（Ａ）は図６（Ｄ）に示す取り付け枠１４にインナシャーシ４２が嵌め込まれる前の状態を示す図解図である。この状態では、孔１００、第１スピーカホルダ５４ａおよび第２スピーカホルダ５４ｂの下方には、基板５８の一部が見えている状態となる。また、第１スピーカホルダ５４ａの右側および第２スピーカホルダ５４ｂの左側には、連結部材６６の係止部１０４の先端の爪が引っ掛かっている。なお、図８（Ａ）に示すように、係止部１０４が第１スピーカホルダ５４ａおよび第２スピーカホルダ５４ｂの切欠き９６の一部に嵌まる様に、連結部材６６は第１スピーカホルダ５４ａと第２スピーカホルダ５４ｂとを連結する。
【００５９】
図８（Ｂ）を参照して、この状態で二次電池４８を保持するインナシャーシ４２が取り付け枠１４に嵌め込まれると、インナシャーシ４２によって基板５８、第１フィルムスピーカ３０ａ、第２フィルムスピーカ３０ｂ、第１スピーカホルダ５４ａおよび第２スピーカホルダ５４ｂなどが隠される。また、図８（Ｂ）の状態における第１押え部７０ａおよび第２押え部７０ｂの位置を点線によって示す。
【００６０】
図８（Ｂ）の線ＩＸ−ＩＸにおける断面図である図９を参照すると、バッテリホルダ５０によって二次電池４８が保持されている状態がよくわかる。また、二次電池４８は、シールド板４０に配置されているのでスピーカホルダ５０から抜け落ちることはない。
【００６１】
また、第１フィルムスピーカ３０ａおよび第２フィルムスピーカ３０ｂは第１スピーカホルダ５４ａおよび第２スピーカホルダ５４ｂによって二次電池４８の裏側で保持された状態となる。つまり、フィルムスピーカ３０を採用し、かつ二次電池４８の裏側にフィルムスピーカ３０を配置することによって、携帯電話機１０全体を薄型化することができる。
【００６２】
また、図９に示すように、二次電池４８を保持するインナシャーシ４２が取り付け枠１４の内壁面８０に嵌め込まれる。取り付け枠１４は、その厚みがシールド板４０の厚み、インナシャーシ４２の厚み、二次電池４８の厚みおよびバッテリホルダ５０の底面の厚みを含むように形成されている。そのため、二次電池４８を保持するバッテリホルダ５０が組み付けられたインナシャーシ４２を、取り付け枠１４に嵌め込んだとしても、取り付け枠１４の厚さは変化しない。このような構造によっても、携帯電話機１０全体が薄型化されている。
【００６３】
また、第１押え部７０ａおよび第２押え部７０ｂは、切欠き７２および配線用凹部が設けられているため、第１フィルムスピーカ３０ａおよび第２フィルムスピーカ３０ｂのフレーム３８の一部に接触した状態となる。ここで、第１押え部７０ａおよび第２押え部７０ｂが設けられるバッテリホルダ５０は、インナシャーシ４２に固定されており、このインナシャーシ４２は取り付け枠１４に固定されている。そのため、バッテリホルダ５０はインナシャーシ４２を介して取り付け枠１４に固定されている状態となる。したがって、第１押え部７０ａおよび第２押え部７０ｂは、第１フィルムスピーカ３０ａおよび第２フィルムスピーカ３０ｂの裏面側から第１スピーカホルダ５４ａと第２スピーカホルダ５４ｂの方に向けて、第１フィルムスピーカ３０ａおよび第２フィルムスピーカ３０ｂ（フレーム３８）を押えている状態となる。この状態では、フィルムスピーカ３０は、スピーカホルダ５４および押え部７０によって表裏の両面から挟み込まれるため、フィルムスピーカ３０が強固に固定された状態となる。その結果、フィルムスピーカ３０の不要な振動が抑えられ、フィルムスピーカ３０の音圧がさらに向上する。
【００６４】
また、押え部７０に設けられる切欠き７２は、スピーカホルダ５４のリブに設けられる切欠き９６と対応している。そのため、スピーカホルダ５４よってフィルムスピーカ３０の周囲が囲われていても、フィルムスピーカ３０を押える押え部７０の切欠き７２およびスピーカホルダ５４の切欠き９６によって、スピーカホルダ５４および押え部７０の内側と外側とが連通する。そのため、フィルムスピーカ３０の背面容積を十分に確保でき、フィルムスピーカ３０の音響性能を向上させることが出来る。
【００６５】
さらに、二次電池４８が充放電を繰り返すことによって経時的に膨れたとしても、バッテリホルダ５０の底面に二次電池４８が接触しているため、二次電池４８はフィルムスピーカ３０の方へ変位することは出来ず、したがって、フィルムスピーカ３０と二次電池４８との間の間隙が安定的に確保される。
【００６６】
なお、第１押え部７０の上側および右側と、第２押え部７０の上側および左側とについては、図９の状態と略同じであるため、図示は省略する。
【００６７】
また、他の実施例では、フィルムスピーカ３０の音圧レベルをさらに向上させるために、接着剤などの固定部ないし固定手段によってスピーカホルダ５４のリブがバッテリホルダ５０に固定（接着）されてもよい。つまり、実施例のような携帯電話機１０内で最大の重量と高い剛性を持つ二次電池４８を保持するバッテリホルダ５０を利用し、スピーカホルダ５４をバッテリホルダ５０上に固定する。なお、その他の実施例では、両面テープや、嵌め合い（係合）機構などを利用して、スピーカホルダ５４ａのリブがバッテリホルダ５０に固定されてもよい。
【００６８】
また、図示は省略するが、バックパネル１２が取り付け枠１４に取り付けられると、バックパネル１２によって、第１フィルムスピーカ３０ａ、第２フィルムスピーカ３０ｂ、第１スピーカホルダ５４ａ、第２スピーカホルダ５４ｂ、基板５８、連結部材６６、第２嵌合部８８、１対の縦枠９０、１対の横枠９２、放音孔９４および組み付け部９８が隠される。このとき、第１フィルムスピーカ３０ａおよび第２フィルムスピーカ３０ｂの表面が、バックパネル１２の底面に設けられる第１放音孔２４ａを向く。
【００６９】
バックパネル１２および取り付け枠１４が協働して形成された閉塞空間は、バックパネル１２の底面から音が抜けるダクトおよび側面から音が抜けるダクトとして機能する。そして、第１フィルムスピーカ３０ａから出力された音は、第１フィルムスピーカ３０ａの表面に設けられている第１放音孔２４ａと、その第１放音孔２４ａと対応してバックパネル１２の側面に設けられる第２放音孔２４ｂとから出力される。つまり、第１フィルムスピーカ３０ａから出力される音の流れが２方向となる。この状態で、モノラルの音声が第１フィルムスピーカ３０ａおよび第２フィルムスピーカ３０ｂから音が出力された場合、ハウジング部材の背面の２ヶ所および側面の２ヶ所から放音されることになり、出力された音は周囲に広がる。つまり、第１フィルムスピーカ３０ａおよび第２フィルムスピーカ３０ｂから出力される音に、サラウンド効果を与えることが出来る。また、ステレオ音声が第１フィルムスピーカ３０ａおよび第２フィルムスピーカ３０ｂから音が出力された場合、特に側面の２ヶ所からそれぞれ出力される左右の音は、ほぼ独立してユーザの耳に届くことになる。つまり、第１フィルムスピーカ３０ａおよび第２フィルムスピーカ３０ｂから出力される左右の音の独立性が高まるため、左右の分離度がよくステレオ効果がより高い音を出力することが出来る。このように、本実施例では、臨場感のある音を出力することが出来る。
【００７０】
なお、実施例のバッテリホルダ５０は箱形状であったが、他の実施例では他の形状であってもよい。図１０を参照して、他の実施例のバッテリホルダ５０は板状であってもよい。板状のバッテリホルダ５０は、実施例のバッテリホルダ５０の底面に相当する部分と第１爪５２の部分を残して側面が無い状態となる。また、図１１を参照して、その他の実施例のバッテリホルダ５０は、第１押え部７０ａおよび第２押え部７０ｂの周辺および第１爪５２だけを含む形状である。つまり、実施例のバッテリホルダ５０に対して、側面の大部分と、底面の半分以上が無い状態となる。これらの形状であっても、バッテリホルダ５０によって二次電池４８を保持することができるとともに、バッテリホルダ５０の底面に設けられる、第１押え部７０ａおよび第２押え部７０ｂによって第１フィルムスピーカ３０ａおよび第２フィルムスピーカ３０ｂを押えることができる。
【００７１】
また、バッテリホルダ５０は、インナシャーシ４２を介して取り付け枠１４に固定されていたが、さらにその他の実施例では、バッテリホルダ５０が取り付け枠１４に直接固定されるように爪および爪受けが設けられてもよい。
【００７２】
また、他の実施例では、インナシャーシ４２に設けられる第１爪受け４４および第２爪受け４６、バッテリホルダ５０に設けられる第１爪５２、取り付け枠１４に設けられる第２爪５６の数および位置が本実施例と異なるものであってもよい。さらに、その他の実施例では、第１爪５２と第１爪受け４４との位置および第２爪５６と第２爪受け４６との位置は、それらの全部または一部が逆であってもよい。たとえば、その他の実施例では、インナシャーシ４２に第１爪５２および第２爪５６が設けられ、バッテリホルダ５０および取り付け枠１４に第１爪受け４４および第２爪受け４６が設けられる。
【００７３】
また、第１放音孔２４ａおよび第２放音孔２４ｂの形状は、円または矩形にだけに限らず、さらにその他の実施例では、様々な形状で形成されてもよい。また、上述の実施例では、バックパネル１２は角を有する箱型の形状（つまり、主面と直交する側面を有する形状）で形成され、第１放音孔２４ａおよび第２放音孔２４ｂは垂直の側面に形成されたが、角の部分が丸みを帯びるように、つまり主面に対して側面が傾斜または湾曲して形成されてもよい。この場合でも、本実施例の側面に相当する位置に、第１放音孔２４ａおよび第２放音孔２４ｂを、傾斜ないし湾曲した側面に形成すればよい。
【００７４】
また、上述の実施例では、バックパネル１２がハウジング部材の主面と側面を形成したが、主面だけをバックパネル１２で形成し、側面をバックパネル１２では無く、たとえば取り付け枠１４で形成した場合、第１放音孔２４ａおよび第２放音孔２４ｂは取り付け枠１４に設けられる。また、ハウジング部材の側面を、たとえばフロントパネル１６で形成した場合、第１放音孔２４ａおよび第２放音孔２４ｂはフロントパネル１６に設けられることになる。
【００７５】
また、上述の実施例では、基板５８が第１部分６０、第２部分６２および第３部分６４で構成されていたが、この基板５８はさまざまに変形可能である。
【００７６】
たとえば、基板５８は一枚の大きな矩形の基板として形成され、取り付け枠１４の下で、取り付け枠１４と重なるように配置されてもよい。その場合、第１フィルムスピーカ３０ａおよび第２フィルムスピーカ３０ｂの厚みの中に基板５８の厚みが含まれることによる薄型化は期待できないが、第１スピーカホルダ５４ａおよび第２スピーカホルダ５４ｂを分けて設ける必要がないので、連結部材６６を用いなくても第１スピーカホルダ５４ａおよび第２スピーカホルダ５４ｂを両持ち構造のものとして剛性を高めることが出来る。
【００７７】
あるいは、第２部分５０だけに相当する基板であってもよい。この場合も、連結部材６６を省略して元々一体化されている第１スピーカホルダ５４ａおよび第２スピーカホルダ５４ｂを形成することが出来る。
【００７８】
また、本実施例では、第１フィルムスピーカ３０ａ、第２フィルムスピーカ３０ｂ、スピーカホルダ５４のリブおよび押え部７０の形状を矩形としたが、他の実施例では、これらのうちの少なくとも１つまたは全ての形状が矩形に限らず、丸型や他の形状であってもよい。
【００７９】
また、本実施例では、第１フィルムスピーカ３０ａおよび第２フィルムスピーカ３０ｂの周囲を囲うように、つまり全周に亘ってリブを形成したが、その他の実施例では、第１フィルムスピーカ３０ａおよび第２フィルムスピーカ３０ｂの少なくとも一辺に相当するリブがあればよい。すなわち、リブは第１フィルムスピーカ３０ａおよび第２フィルムスピーカ３０ｂの周囲を囲っていなくてもよい。
【００８０】
上述の実施例では、２つのフィルムスピーカ３０ａ，３０ｂを用いたが、携帯端末をさらに小型化するか、あるいは内部空間をさらに大きくする場合には、フィルムスピーカ３０は１つだけでもよい。この場合には、ハウジング部材の主面に１つだけ第１放音孔２４ａが形成され、ハウジング部材の側面にはその第１放音孔２４ａと対応する位置に１つだけ第２放音孔２４ｂが形成される。このように、フィルムスピーカ３０を１つだけ使用した場合でも、第１放音孔２４ａおよびその第１放音孔２４ａとは或る程度距離がある第２放音孔２４ｂの両方から音が出力されるので、第１放音孔２４ａだけの場合に比べて、臨場感がよい。
【００８１】
そして、本明細書中で挙げた、具体的な数値は、いずれも単なる一例であり、製品の仕様変更などに応じて適宜変更可能である。
【符号の説明】
【００８２】
１０    …  携帯電話機
１２    …  バックパネル
１４    …  取り付け枠
３０ａ，３０ｂ    …  第１フィルムスピーカ、第２フィルムスピーカ
４０    …  シールド板
４２    …  インナシャーシ
４４    …  第１爪受け
４６    …  第２爪受け
４８    …  二次電池
５０    …  バッテリホルダ
５２    …  第１爪
５４ａ，５４ｂ    …  第１スピーカホルダ、第２スピーカホルダ
５６    …  第２爪
７０ａ，７０ｂ    …  第１押え部、第２押え部
７２    …  切欠き
９６    …  切欠き
【図１】
2015186166.tif 000003
【図２】
2015186166.tif 000004
【図３】
2015186166.tif 000005
【図４】
2015186166.tif 000006
【図５】
2015186166.tif 000007
【図６】
2015186166.tif 000008
【図７】
2015186166.tif 000009
【図８】
2015186166.tif 000010
【図９】
2015186166.tif 000011
【図１０】
2015186166.tif 000012
【図１１】
2015186166.tif 000013